(57)【要約】【課題】  容器胴体と容器底部とが分離せず組立の容易な容器を低コストで提供することである。【解決手段】  上下端が開口した水平断面多角形の筒形容器胴体３０と、前記容器胴体３０の水平断面と相似形の多角形容器底部４０とからなる組立容器１０において、容器胴体３０を構成する各側面の下端縁に内側上方に向けて受片を連設し、容器底部の多角形各辺に下方に向けて垂下片を連設し、各受片と各受片に対向する各側面とから形成される隙間に垂下片を挿入することにより容器底部４０と容器胴体３０とを嵌合し、さらに一の受片の上端縁に外側下方に向けて係合片を連設し、前記受片と対向する垂下片の下端縁に内側上方に向けて係合片を連設し、両係合片の係合により容器底部４０と容器胴体３０とを常態で分離しないように構成したのである。【選択図】図１
2006143255.tif 000002
【特許請求の範囲】
【請求項１】
上下端が開口した水平断面多角形の筒形容器胴体と、前記容器胴体の水平断面と相似形の多角形容器底部とからなり、容器胴体を構成する各側面の下端縁に内側上方に向けて受片を連設し、容器底部の多角形各辺の一以上の辺に下方に向けて垂下片を連設し、各受片と各受片に対向する各側面とから形成される隙間に垂下片を挿入することにより容器底部と容器胴体とを嵌合し、さらに一の受片の上端縁に外側下方に向けて係合片を連設し、前記受片と対向する垂下片の下端縁に内側上方に向けて係合片を連設し、両係合片の係合により容器底部と容器胴体とを常態で分離しないようにした組立容器。
【請求項２】
上下端が開口した水平断面多角形の筒形容器胴体と、前記容器胴体の水平断面と相似形の多角形容器底部とからなり、容器胴体を構成する各側面の下端縁に内側上方に向けて受片を連設し、容器底部の多角形各辺の一以上の辺に下方に向けて垂下片を連設し、各受片と各受片に対向する各側面とから形成される隙間に垂下片を挿入することにより容器底部と容器胴体とを嵌合し、一の垂下片を各受片と各受片に対向する各側面とから形成される隙間内に固着した組立容器。
【請求項３】
前記受片の隣接する側縁同士を一体に連結した請求項１または請求項２に記載の組立容器。
【発明の詳細な説明】
【技術分野】
【０００１】
この発明は、粉粒体の薬品等を収納する組立容器、とくに大形の組立紙管に関する。
【背景技術】
【０００２】
従来から粉粒体の薬品等を収納する容器として、円筒形容器胴体の下端縁に円形の容器底面を取り付けたものがよく用いられている。しかし、容器胴体が円筒形では折りたたむことができず嵩張るため、内容物を収納していない場合にも保管や輸送のコストがかかる問題がある。
【０００３】
そこで特許文献１に示すように、頂部および底部が開口した筒状の箱本体、およびこの箱本体の底部に取着自在に取り付けられた底面材からなる容器本体ならびにこの箱本体の頂部に嵌合する蓋体から構成された組立型箱状容器であって、箱本体は水平断面の形状がＮ角形であり、Ｎ個の側胴面と、各側胴面の下端部から延び、内側に折り曲げられ、２つの側面と端面を有する舌片とから構成されており、底面材は、箱本体の断面形状と略相似形のＮ角形の平面形状を有する底面部本体と、この底面部本体の各辺から下方に延びる垂下片と、底面部本体の下面に貼り付けられ、底面部本体よりもわずかに外形の小さい板紙体から構成されており、組立型箱状容器の組立時、底面材の垂下片は箱本体の側胴面と舌片との間に形成された空間内に収納され、底面材の底面部本体は舌片の端面によって支持され、かつ、舌片の端部は底面材の垂下片と板紙体の端面との間に形成された空間内に収納されることを特徴とする組立型箱状容器が提案されている。
【０００４】
このように構成することで、容器の組立および組立解除が容易となり、内容物を収納していない場合には、底面材を箱本体から取り外し、箱本体を折りたたむことができるため、嵩張らず保管や輸送のコストを低減することができる。
【０００５】
しかし上記した構成では、容器の組立を解除して折りたたむ場合、容器胴体と容器底部が分離するため一方を紛失しやすく、また、組立の際に別体のものを組み合わせる必要があるため手間がかかり作業能率が悪い問題がある。さらに、底面部本体の下面に板紙体を貼り付け、それによって箱本体の下端部から延びる舌片を支える構成のため、底面部が複雑となりコストがかかる問題がある。したがって、いまだ改善の余地が残されているといえる。
【０００６】
一方で作業能率等を考えて容器胴体と容器底部とを一体に形成することも考えられるが、この場合材料取りが悪く生産コストが高騰する問題を抱えている。
【特許文献１】特許第３３１３０５２号公報
【発明の開示】
【発明が解決しようとする課題】
【０００７】
そこでこの発明の解決すべき課題は、容器胴体と容器底部とが通常の使用状態で分離せず組立容易であり、しかも簡単な構造で十分な強度を有する組立容器を低コストで提供することである。
【課題を解決するための手段】
【０００８】
上記した課題を解決するため、この発明は組立容器について、上下端が開口した水平断面多角形の筒形容器胴体と、前記容器胴体の水平断面と相似形の多角形容器底部とからなり、容器胴体を構成する各側面の下端縁に内側上方に向けて受片を連設し、容器底部の多角形各辺のうち一以上の辺に下方に向けて垂下片を連設し、各受片と各受片に対向する各側面とから形成される隙間に垂下片を挿入することにより容器底部と容器胴体とを嵌合し、さらに一の受片の上端縁に外側下方に向けて係合片を連設し、前記受片と対向する垂下片の下端縁に内側上方に向けて係合片を連設し、両係合片の係合により容器底部と容器胴体とを常態で分離しないように構成したのである。
【０００９】
また、この発明は組立容器について、上下端が開口した水平断面多角形の筒形容器胴体と、前記容器胴体の水平断面と相似形の多角形容器底部とからなり、容器胴体を構成する各側面の下端縁に内側上方に向けて受片を連設し、容器底部の多角形各辺の一以上の辺に下方に向けて垂下片を連設し、各受片と各受片に対向する各側面とから形成される隙間に垂下片を挿入することにより容器底部と容器胴体とを嵌合し、一の垂下片を各受片と各受片に対向する各側面とから形成される隙間内に固着する構成としたのである。
【００１０】
なお、上記した受片については、隣接する側縁同士を一体に連結するのが好ましい。
【発明の効果】
【００１１】
一の受片の上端縁に外側下方に向けて係合片を連設し、前記受片と対向する垂下片の下端縁に内側上方に向けて係合片を連設し、両係合片の係合により容器底部と容器胴体とを連結することにより、容器胴体と容器底部が通常の使用状態において分離することがないため、一方を紛失することはなく、また、組立も一挙動でできるため作業能率が向上する。さらに、容器底部と容器胴体を別体で製造するため、一体に成形する場合に比べて材料取りにおけるロスが少なく、生産コストを低廉に抑えることができる。
【００１２】
一の垂下片を各受片と各受片に対向する各側面とから形成される隙間内に固着することにより、容器胴体と容器底部が分離することがないため、一方を紛失することはなく、また、組立も一挙動でできるため作業能率が向上する。さらに、容器底部と容器胴体を別体で製造するため、一体に成形する場合に比べて材料取りにおけるロスが少なく、生産コストを低廉に抑えることができる。
【００１３】
また、受片の隣接する側縁同士を一体に連結することにより、各受片が容器材料の持つ弾性に起因して対向する各側面から離間する方向へ戻るのを防止することができ、保形性を持たせることができる。したがって、組立の際に手間取らず作業能率がさらに向上する。また、受片と各受片に対向する各側面とから形成される隙間に垂下片を挿入する際に、緩みが生じることなく容器底部と容器胴体とを強固に結合させることができるため、組立容器の強度を増すことができる。さらに、受片に保形性を持たせているため、従来のように容器底部の裏側にパットを貼り付けるなどして受片のはずれを防止する必要がない。そのため容器底部の構造が簡単で済み、コストダウンを図ることができる。
【発明を実施するための最良の形態】
【００１４】
以下、図面を参照しつつこの発明の実施形態について説明する。
【００１５】
図１のように、この発明の実施形態にかかる組立容器１０は、側面胴体を構成する容器胴体３０と、底面を構成する容器底部４０と、上端の開口をふさぐ容器蓋２０とからなる。組立容器１０は平面視正八角形であり、容器胴体３０は８つの側面３１からなる筒状体である。
【００１６】
図２は、容器底部４０の展開図を表す。図のように、正八角形の底面４１の８つの辺のうち１つ置きの対向する４辺に垂下片４２が連設されており、さらに１つの垂下片４２の端縁には係合片４３が連設されている。底面４１と垂下片４２との境界には、折れ線４４が形成され、垂下片４２と係合片４３の境界には折れ線４５が形成されている。
【００１７】
容器底部４０は、図３のように、底面４１の四辺から垂下片４２を折れ線４４に沿って下方に折り曲げ、さらに、係合片４３を垂下片４２の端縁から折れ線４５に沿って内側上方に折り曲げて組み立てられる。
【００１８】
図４は、容器胴体３０の展開図を表す。図のように、容器胴体３０は、短冊状でほぼ同形の８つの側面３１の側縁同士を連設し、その１側縁に接続しろ３２を連設し、さらに側面３１の下端縁には受片３３が連設され、一の受片の下端縁には係合片３４が連設された構成となっている。ここで、隣接する受片３３同士は一体となっている。
【００１９】
側面３１同士および側面３１と接続しろ３２および受片３３同士の境界には、折れ線３５が形成され、側面３１と受片３３との境界には、折れ線３６が形成される。折れ線３５と折れ線３６との交差点は、折り曲げを容易にするためにひし形あるいは将棋の駒形の折曲孔３７が設けられている。また、受辺３３と係合片３４との境界には、折れ線３８が形成されている。
【００２０】
前記側面３１上端中央には、組立容器１０を把持するための角丸６角形の把持孔３１ａが組み立てた時に対向するように２つ設けられている。さらに、８つの側面３１のうち１つ置きの４つの側面３１について、下端中央に側面３１と受片３３とを接着するための接着部材３９が貼付されている。なお、接着部材３９は、両面に接着剤を塗布等した厚みのあるボール紙等から形成されている。厚みは１０ｍｍ位が最適である。
【００２１】
容器胴体３０は、以下の手順で作成される。まず、図５（ａ）のように、係合片３４を折れ線３８に沿って受片３３の接着部材３９貼付側の面に向けて折り返す。次に受片３３を折れ線３６に沿って、側面３１の接着部材３９貼付側の面に折り返し、接着部材３９に貼付する。
【００２２】
つぎに、図５（ｂ）のように、側面３１を折れ線３５に沿って折り返された受片３３が内側となるように折り返し、最後に、接続しろ３２と他端の側面３１とを接着剤等により貼付する。このようにして図５（ｃ）のように、平面視正八角形の筒状容器胴体３０が組み立てられる。
【００２３】
なお、上記したように、折れ線３５と折れ線３６との交差点には折曲孔３７が設けられているため、組立の際の折り曲げが容易に行える。またここで、接着部材３９を貼付しない側面３１と、対向する受片３３、およびその両側の接着部材３９の貼付による接着により閉じられた側面３１、受片３３とから図５（ｄ）のように、ポケット３３ａが形成される。
【００２４】
図６は、容器蓋２０の展開図を表す。図のように、正八角形の頂面２１の８つの辺に側片２２が連設されており、組み立てたとき対向する側片２２のうち１組には、角丸６角形の把持孔２２ａが設けられている。また、側片２２の隣接する側縁の一方には、接続しろ２３が連設されている。頂面２１と側片２２との境界は折れ線２４を形成し、側片２２と接続しろ２３の境界は折れ線２５を形成する。把持孔２２ａは、後述するように、容器胴体３０の側面３１の把持孔３１ａと重ね合わせ貫通孔を形成するため、同形にしてある。
【００２５】
容器蓋２０は、図７のように、折れ線２５で接続しろ２３を折り曲げ、頂面２１から８つの側片２２を折れ線２４に沿って下方に折り曲げ、側片２２の各側縁同士を当接させた状態で接続しろ２３により固着することにより組み立てられる。
【００２６】
上記のようにして組み立てた容器蓋２０、容器胴体３０、容器底部４０から、さらに組立容器１０を組み立てる。
【００２７】
まず図８（ａ）のように、筒状容器胴体３０の開口した上端から、容器底部４０を挿入する。容器底部４０には上述したように、底面４１の４つの辺から下方に向けて４つの垂下片４２が連設されているところ、これを容器胴体３０の４つのポケット３３ａに挿入する。
【００２８】
ここで図８（ｂ）のように、係合片４３が端縁に連設された垂下片４２を、係合片３４が端縁に連設された受片３３と、受片３３に対向する側面３１とから形成されるポケット３３ａに挿入すると両係合片３４、４３は係合するため容器胴体３０と容器底部４０とは結合され分離しがたくなる。
【００２９】
次に図８（ｃ）のように、筒状容器胴体３０の開口した上端に、容器蓋２０を被せると容器蓋２０の頂面２１の裏面が容器胴体３０の上端に当接し係止される。この際に、容器胴体３０の側面３１に設けられた把持孔３１ａと、容器蓋２０の側片２２に設けられた把持孔２２ａを重ね合わせると貫通孔が形成されるため、容器を把持しやすく運ぶ際の利便性が向上する。このようにして容器蓋２０と容器胴体３０と容器底部４０とは組み合わされ、図１のような組立容器１０が完成する。
【００３０】
組立容器１０の組立を解除するには、組立と逆に容器蓋２０を容器胴体３０上端から取り外した後、容器胴体３０のポケット３３ａから容器底部４０の係合片４３が連設されていない３つの垂下片４２を抜き取り容器胴体３０を折りたたむ。このとき係合片３４を有する垂下片４２と係合片４３を有するポケット３３ａとが、係合片３４、４３同士の係合により結合しているため、容器胴体３０と容器底部４０とは分離せず一体になっている。
【００３１】
以上のように、係合片３４、４３同士の係合により、容器底部４０と容器胴体３０とを通常の使用状態で一体にすることができる。そのため、組立や組立解除の際に容器胴体３０と容器底部４０が分離することがない。従って、一方を紛失するおそれはなく、また、組立および組立解除もワンタッチでできるため作業能率が向上する。また、容器底部４０と容器胴体３０を別体で製造するため、一体に成形する場合に比べて材料取りにおけるロスが少なく生産コストを低廉に抑えることができる。
【００３２】
また、隣接する受片３３同士は一体となっているため、各受片３３が組立容器１０の材料の持つ弾性に起因して、対向する各側面３１から離間する方向へ戻るのを防止することができ、保形性を持たせることができる。従って、組立の際に手間取らず作業能率がさらに向上する。また、受片３３と各受片３３に対向する各側面３１とから形成されるポケット３３ａに垂下片４２を挿入する際に、緩みが生じることなく容器底部４０と容器胴体３０とを強固に結合させることができるため、組立容器１０の強度を増すことができる。さらに、受片３３に保形性を持たせているため、従来のように容器底部４０の裏側にパットを貼り付けるなどして受片３３のはずれを防止する必要がない。そのため容器底部４０の構造が簡単で済み、コストダウンを図ることができる。
【００３３】
なお、この実施の形態では、容器胴体３０と容器底部４０との結合を係合片３４、４３同士の係合により実現したが、これに限られず、容器胴体３０の４つのポケット３３ａに挿入した４つの垂下片４２のうちの１つを、ポケット３３ａ内に接着剤等で固着することによっても同様の効果を奏することができる。
【００３４】
上記した組立容器１０の材質はボール紙、厚紙、合成紙などさまざまなものが考えられる。また、上述した実施形態では、組立容器を平面視正八角形のものとしたが勿論これに限られず他の平面視多角形容器にも適用できる。
【図面の簡単な説明】
【００３５】
【図１】組立容器の斜視図
【図２】容器底部の展開図
【図３】容器底部の斜視図
【図４】容器胴体の展開図
【図５】（ａ）（ｂ）は容器胴体の組み立て途中図、（ｃ）は容器胴体の完成図、（ｄ）はその一部拡大図
【図６】容器蓋の展開図
【図７】容器蓋の斜視図
【図８】（ａ）は組立容器の組み立て途中断面図、（ｂ）は係合部の拡大図、（ｃ）は組立容器の完成断面図
【符号の説明】
【００３６】
１０  組立容器
２０  容器蓋
２１  頂面
２２  側片
２２ａ  把持孔
２３  接続しろ
２４  折れ線
２５  折れ線
３０  容器胴体
３１  側面
３１ａ  把持孔
３２  接続しろ
３３  受片
３３ａ  ポケット
３４  係合片
３５  折れ線
３６  折れ線
３７  折曲孔
３８  折れ線
３９  接着部材
４０  容器底部
４１  底面
４２  垂下片
４３  係合片
４４  折れ線
４５  折れ線
【図１】
2006143255.tif 000003
【図２】
2006143255.tif 000004
【図３】
2006143255.tif 000005
【図４】
2006143255.tif 000006
【図５】
2006143255.tif 000007
【図６】
2006143255.tif 000008
【図７】
2006143255.tif 000009
【図８】
2006143255.tif 000010